(57)【要約】【課題】  画像の光軸調節を簡単な作業にて調節位置のズレを防止できるように行い得る画像形成装置用の給紙装置を提供する。【解決手段】  給紙トレイ２がトレイ収容部５２に装着されるに伴って給紙トレイ２及び装置本体のいずれか一方に当接して、給紙トレイ２の装着方向側への移動を規制するトレイ装着位置規制機構Ｓが、給紙トレイ２及び装置本体のいずれか他方に設けられ、そのトレイ装着位置規制機構Ｓを構成するに、給紙トレイ２又は装置本体の他方に対する固定部材Ｓｆと、当接部Ｓｈを備えた当接部材Ｓｔとを設けて互いに相対移動自在に連結し、それら固定部材Ｓｆ及び当接部材Ｓｔの少なくとも一方に、トレイ装着位置規制機構Ｓの当接反力を受ける複数の反力受け面部Ｓｓを連なる状態で設け、複数の反力受け面部Ｓｓを選択的に作用状態に切換することによって、当接部Ｓｈにおけるトレイ移動方向での位置が変更調節自在なように構成されている。【選択図】        図４
2006131396.tif 000002
【特許請求の範囲】
【請求項１】
収容されている用紙の給紙方向と直交するトレイ移動方向での移動により装置本体のトレイ収容部に装着自在な給紙トレイが設けられ、
前記給紙トレイが前記トレイ収容部に装着されるに伴って前記給紙トレイ及び前記装置本体のうちのいずれか一方に当接して、前記給紙トレイの装着方向側への移動を規制するトレイ装着位置規制機構が、前記給紙トレイ及び前記装置本体のうちのいずれか他方に設けられ、
前記トレイ装着位置規制機構における前記装置本体又は前記給紙トレイに当接する当接部の位置が、前記トレイ移動方向において調節自在なように構成された画像形成装置用の給紙装置であって、
前記トレイ装着位置規制機構を構成するに、前記給紙トレイ又は前記装置本体の他方に対する固定部材と、前記当接部を備えた当接部材とを設けて互いに相対移動自在に連結し、前記固定部材及び前記当接部材のうちの少なくとも一方に、それら固定部材と当接部材とが接当した状態で前記トレイ装着位置規制機構の当接反力を受ける複数の反力受け面部を連なる状態で設け、前記複数の反力受け面部を選択的に作用状態に切換することによって、前記当接部における前記トレイ移動方向での位置が変更調節自在なように構成されている画像形成装置用の給紙装置。
【請求項２】
前記固定部材と前記当接部材とが、夫々互いに接当する前記反力受け面部を、その周方向に沿った階段状に形成した円筒状に構成され、
前記固定部材と前記当接部材が、前記トレイ移動方向に沿って相対的に移動自在で且つそのトレイ移動方向において互いに近接する方向に付勢され且つ前記トレイ移動方向に沿う回動軸心周りに回動自在に互いに連結され、
前記当接部材を前記回動軸心周りに回動させることにより、前記階段状の反力受け面部の作用状態を変更するように構成されている請求項１記載の画像形成装置用の給紙装置。
【請求項３】
前記当接部材が、前記トレイ移動方向に沿う板状部を備えるように構成され、
その当接部材の板状部に、前記複数の反力受け面部として機能させる階段状の縁部を備え且つその階段状の縁部に沿う形状の屈曲状のスリットが形成され、
前記固定部材として機能させるボルト状体が前記スリットに挿通された状態で前記給紙トレイ又は前記装置本体の他方に螺入されることにより、前記当接部材が取付けされるように構成され、
前記ボルト状体を前記スリットに係合させた状態で前記当接部材を移動させることにより、前記スリットにおける段の一部に前記ボルト状体を選択的に当接自在に構成されている請求項１記載の画像形成装置用の給紙装置。
【請求項４】
収容されている用紙の給紙方向と直交するトレイ移動方向での移動により装置本体のトレイ収容部に装着自在な給紙トレイが設けられ、
前記給紙トレイが前記トレイ収容部に装着されるに伴って前記給紙トレイ及び前記装置本体のうちのいずれか一方に当接して、前記給紙トレイの装着方向側への移動を規制するトレイ装着位置規制機構が、前記給紙トレイ及び前記装置本体のうちのいずれか他方に設けられ、
前記トレイ装着位置規制機構における前記装置本体又は前記給紙トレイに当接する当接部の位置が、前記トレイ移動方向において調節自在なように構成された画像形成装置用の給紙装置であって、
前記トレイ装着位置規制機構が、前記トレイ移動方向に直交する方向に沿う回動軸心周りに回動自在な状態で、前記給紙トレイ又は前記装置本体に設けられ、
前記トレイ装着位置規制機構における前記回動軸心周りの外周面が、前記回動軸心からの距離が夫々異なる複数の面部が前記距離の大きさの順に並ぶ形態で前記回動軸心周りに連なる屈曲状面に形成されて、前記複数の面部の夫々が前記当接部として機能するように構成され、
前記トレイ装着位置規制機構を前記回動軸心周りに回動させることにより、前記当接部における前記トレイ移動方向での位置が調節自在なように構成されている画像形成装置用の給紙装置。
【発明の詳細な説明】
【技術分野】
【０００１】
本発明は、収容されている用紙の給紙方向と直交するトレイ移動方向での移動により装置本体のトレイ収容部に装着自在な給紙トレイが設けられ、
前記給紙トレイが前記トレイ収容部に装着されるに伴って前記給紙トレイ及び前記装置本体のうちのいずれか一方に当接して、前記給紙トレイの装着方向側への移動を規制するトレイ装着位置規制機構が、前記給紙トレイ及び前記装置本体のうちのいずれか他方に設けられ、
前記トレイ装着位置規制機構における前記装置本体又は前記給紙トレイに当接する当接部の位置が、前記トレイ移動方向において調節自在なように構成された画像形成装置用の給紙装置に関する。
【背景技術】
【０００２】
かかる画像形成装置用の給紙装置（以下、単に給紙装置と称する場合がある）は、複写機、プリンタ、ファクシミリ等の画像形成装置において、その画像形成部にて画像を形成するための用紙を１枚ずつ送出するために用いるものである。
説明を加えると、給紙トレイを、それに収容されている用紙の給紙方向と直交するトレイ移動方向に沿ってトレイ収容部に向けて移動させるのに伴って、給紙トレイ及び装置本体のうちのいずれか一方に対して、給紙トレイ及び装置本体のうちのいずれか他方に設けたトレイ装着位置規制機構を当接させて、給紙トレイの装着方向側への移動を規制することにより、給紙トレイを、そのトレイ移動方向において位置決めした状態でトレイ収容部に装着するようになっている。
【０００３】
そして、そのようにしてトレイ収容部に装着した給紙トレイから用紙を送出して、画像形成部に搬送することになっているが、装置本体におけるトレイ収容部の製作誤差や給紙トレイの製作誤差等により、トレイ収容部に対するトレイ移動方向での給紙トレイの装着位置がばらつくことから、画像形成部においては、画像が形成される画像形成位置に対する給紙トレイからの用紙が配置される用紙配置位置が、トレイ移動方向に沿う方向にばらつくことになる。
そこで、トレイ装着位置規制機構における装置本体又は給紙トレイに当接する当接部の位置をトレイ移動方向において調節自在なように構成し、当接部の位置をトレイ移動方向に沿って調節して、トレイ収容部に対するトレイ移動方向での給紙トレイの装着位置を調節することにより、画像形成位置に対するトレイ移動方向に沿う方向での用紙配置位置を調節する所謂画像の光軸調節を行うようになっている。
【０００４】
このような給紙装置において、従来は、トレイ装着位置規制機構を構成するに、トレイ移動方向に沿う位置調節用板状部と給紙方向に沿う当接用板状部とを備えて、前記位置調節用板状部にトレイ移動方向に沿う直線状の長孔を形成した屈曲板状当接部材と、前記長孔に挿通した状態で給紙トレイ又は装置本体に螺入して前記屈曲板状当接部材を給紙トレイ又は装置本体に取り付けるボルト状体とから構成していた。
そして、屈曲板状当接部材をトレイ移動方向に沿って移動させることが可能なようにボルト状体を緩めた状態で、屈曲板状当接部材をトレイ移動方向に沿って移動させて、当接用板状部に備えさせた当接部のトレイ移動方向での位置を目標の位置に位置させた後、ボルト状体を給紙トレイ又は装置本体に締め付けて、屈曲板状当接部材を給紙トレイ又は装置本体に取り付けることにより、当接部の位置をトレイ移動方向において変更調節して、画像の光軸調節を行うようになっていた。
【０００５】
あるいは、従来、トレイ装着位置規制機構を構成するに、トレイ移動方向に沿う位置調節用板状部と給紙方向に沿う当接用板状部とを備えて、前記位置調節用板状部に複数のボルト挿通孔をトレイ移動方向に沿って並ぶ状態に形成した屈曲板状当接部材と、前記複数のボルト挿通孔のいずれか一つに挿通した状態で給紙トレイ又は装置本体に螺入して前記屈曲板状当接部材を給紙トレイ又は装置本体に取り付けるボルト状体とから構成していた。
そして、ボルト状体を給紙トレイ又は装置本体から外して、そのボルト状体を屈曲板状当接部材における複数のボルト挿通孔のうちの目標とする一つに挿通して給紙トレイ又は装置本体に締め付けて、屈曲板状当接部材を給紙トレイ又は装置本体に取り付けることにより、当接部の位置をトレイ移動方向において変更調節して、画像の光軸調節を行うようになっていた（例えば、特許文献１参照。）。
【０００６】
【特許文献１】特開２００１−２８７８４０号公報
【発明の開示】
【発明が解決しようとする課題】
【０００７】
しかしながら、従来の給紙装置では、画像の光軸調節において、以下に説明するような問題があり、改善が望まれていた。
即ち、屈曲板状当接部材の位置調節用板状部にトレイ移動方向に沿う長孔を形成して、ボルト状体を前記長孔に挿通した状態で給紙トレイ又は装置本体に螺入して屈曲板状当接部材を給紙トレイ又は装置本体に取り付けるものでは、ボルト状体を緩めて、屈曲板状当接部材を給紙トレイ又は装置本体から取り外すことなくトレイ移動方向に沿って移動させることにより、当接部の位置をトレイ移動方向において変更調節することが可能であり、画像の光軸調節作業を比較的簡単に行うことが可能である。
【０００８】
しかしながら、ボルト状体が長孔におけるトレイ移動方向の中間箇所に挿通されて給紙トレイ又は装置本体に螺入された状態では、トレイ装着位置規制機構が給紙トレイ又は装置本体のいずれか一方に当接したときに、そのトレイ装着位置規制機構に対してトレイ装着方向側とは反対側に向かって印加される力（以下、当接反力と記載する場合がある）は、ボルト状体を給紙トレイ又は装置本体に締め付けることにより生じる摩擦力により受けることになる。そして、トレイ装着位置規制機構が給紙トレイ又は装置本体のいずれか一方に強く当接されて、大きい当接反力が印加されるときや、ボルト状体の締め付けが不十分なとき等は、給紙トレイ又は装置本体に対する屈曲板状当接部材の取付位置がトレイ移動方向にずれ易いので、当接部の位置がずれ易く、延いては、画像形成位置に対する用紙配置位置の調節位置がずれ易いという問題があった。
【０００９】
又、屈曲板状当接部材の位置調節用板状部に複数のボルト挿通孔をトレイ移動方向に沿って並べて形成して、ボルト状体を前記複数のボルト挿通孔のうちのいずれか一つに挿通した状態で給紙トレイ又は装置本体に螺入して、屈曲板状当接部材を給紙トレイ又は装置本体に取り付けるものでは、ボルト状体にボルト挿通孔の内周面を当接させる状態で当接反力を受けることになるので、給紙トレイ又は装置本体に対する屈曲板状当接部材の取付位置がトレイ移動方向にずれるのを防止することが可能となり、延いては、画像形成位置に対する用紙配置位置の調節位置（以下、単に調節位置と記載する場合がある）がずれないように画像の光軸調節を行うことが可能となる。
【００１０】
しかしながら、画像の光軸調節作業は、ボルト状体を一旦給紙トレイ又は装置本体から外してから、そのボルト状体を再び屈曲板状当接部材における複数のボルト挿通孔のうちの目標とする一つに挿通して、給紙トレイ又は装置本体に締め付けることにより行う必要があるので、画像の光軸調節作業が煩雑なものとなっていた。
【００１１】
本発明は、かかる実情に鑑みてなされたものであり、その目的は、画像の光軸調節を簡単な作業にて調節位置のズレを防止できるように行い得る画像形成装置用の給紙装置を提供することにある。
【課題を解決するための手段】
【００１２】
本発明の画像形成装置用の給紙装置は、収容されている用紙の給紙方向と直交するトレイ移動方向での移動により装置本体のトレイ収容部に装着自在な給紙トレイが設けられ、
前記給紙トレイが前記トレイ収容部に装着されるに伴って前記給紙トレイ及び前記装置本体のうちのいずれか一方に当接して、前記給紙トレイの装着方向側への移動を規制するトレイ装着位置規制機構が、前記給紙トレイ及び前記装置本体のうちのいずれか他方に設けられ、
前記トレイ装着位置規制機構における前記装置本体又は前記給紙トレイに当接する当接部の位置が、前記トレイ移動方向において調節自在なように構成されたものであって、
第１特徴構成は、前記トレイ装着位置規制機構を構成するに、前記給紙トレイ又は前記装置本体の他方に対する固定部材と、前記当接部を備えた当接部材とを設けて互いに相対移動自在に連結し、前記固定部材及び前記当接部材のうちの少なくとも一方に、それら固定部材と当接部材とが接当した状態で前記トレイ装着位置規制機構の当接反力を受ける複数の反力受け面部を連なる状態で設け、前記複数の反力受け面部を選択的に作用状態に切換することによって、前記当接部における前記トレイ移動方向での位置が変更調節自在なように構成されている点を特徴とする。
【００１３】
即ち、給紙トレイ又は装置本体の他方に対する固定部材と、当接部を備えた当接部材とが互いに相対移動自在に連結され、それら固定部材及び当接部材のうちの少なくとも一方に、それら固定部材と当接部材とが接当した状態でトレイ装着位置規制機構の当接反力を受ける複数の反力受け面部が連なる状態で設けられて、複数の反力受け面部を選択的に作用状態に切換することによって、当接部におけるトレイ移動方向での位置が変更調節自在なように構成されているので、当接部材を固定部材から分離しない状態で移動させて、複数の反力受け面部を選択的に作用状態に切換することにより、当接部の位置をトレイ移動方向において変更調節することが可能となる。
【００１４】
つまり、当接部材を固定部材から分離しない状態で固定部材に対して移動させて、複数の反力受け面部のうちから作用状態にするものを選択することにより、当接部の位置をトレイ移動方向において変更調節することが可能であるので、画像の光軸調節作業を簡略化することが可能となる。
そして、トレイ装着位置規制機構の当接反力は、固定部材と当接部材とを反力受け面部を介して接当させることにより受けるので、給紙トレイ又は装置本体に対する当接部材の位置がトレイ移動方向にずれるのを防止することが可能となり、延いては、調節位置がずれないように画像の光軸調節を行うことが可能となる。
従って、画像の光軸調節をその作業を簡略化しながら調節位置のズレを防止できるように行い得る画像形成装置用の給紙装置を提供することができるようになった。
【００１５】
第２特徴構成は、上記第１特徴構成に加えて、
前記固定部材と前記当接部材とが、夫々互いに接当する前記反力受け面部を、その周方向に沿った階段状に形成した円筒状に構成され、
前記固定部材と前記当接部材が、前記トレイ移動方向に沿って相対的に移動自在で且つそのトレイ移動方向において互いに近接する方向に付勢され且つ前記トレイ移動方向に沿う回動軸心周りに回動自在に互いに連結され、
前記当接部材を前記回動軸心周りに回動させることにより、前記階段状の反力受け面部の作用状態を変更するように構成されている点を特徴とする。
【００１６】
即ち、当接部材を、固定部材から離間する側に付勢力に抗して移動させた状態で、階段状の反力受け面部の作用状態が目標とする作用状態となるように回動軸心周りに回動させた後、当接部材を付勢力に抗して移動させていた力を解放することにより、固定部材及び当接部材夫々の階段状の反力受け面部同士を目標とする作用状態にて互いに接当させて、当接部の位置をトレイ移動方向において目標とする位置に変更調節することができる。
【００１７】
従って、画像の光軸調節作業を工具を使用することなく行うことが可能となるので、画像の光軸調節作業を一段と簡略化することができるようになった。
【００１８】
第３特徴構成は、上記第１特徴構成に加えて、
前記当接部材が、前記トレイ移動方向に沿う板状部を備えるように構成され、
その当接部材の板状部に、前記複数の反力受け面部として機能させる階段状の縁部を備え且つその階段状の縁部に沿う形状の屈曲状のスリットが形成され、
前記固定部材として機能させるボルト状体が前記スリットに挿通された状態で前記給紙トレイ又は前記装置本体の他方に螺入されることにより、前記当接部材が取付けされるように構成され、
前記ボルト状体を前記スリットに係合させた状態で前記当接部材を移動させることにより、前記スリットにおける段の一部に前記ボルト状体を選択的に当接自在に構成されている点を特徴とする。
【００１９】
即ち、ボルト状体を、それがスリットに係合した状態のままでも当接部材を移動させることが可能となるように緩める。
そして、そのようにボルト状体を当接部材のスリットに係合させた状態で、当接部材を移動させて、スリットにおける階段状の縁部のうちの目標とする段をボルト状体に当接させ、続いて、ボルト状体を給紙トレイ又は装置本体に締め付けて、当接部材を給紙トレイ又は装置本体に取り付けることにより、当接部の位置をトレイ移動方向において目標とする位置に変更調節することができる。
【００２０】
従って、画像の光軸調節作業を簡略化するために好適な手段を提供することができるようになった。
【００２１】
第４特徴構成は、
前記トレイ装着位置規制機構が、前記トレイ移動方向に直交する方向に沿う回動軸心周りに回動自在な状態で、前記給紙トレイ又は前記装置本体に設けられ、
前記トレイ装着位置規制機構における前記回動軸心周りの外周面が、前記回動軸心からの距離が夫々異なる複数の面部が前記距離の大きさの順に並ぶ形態で前記回動軸心周りに連なる屈曲状面に形成されて、前記複数の面部の夫々が前記当接部として機能するように構成され、
前記トレイ装着位置規制機構を前記回動軸心周りに回動させることにより、前記当接部における前記トレイ移動方向での位置が調節自在なように構成されている点を特徴とする。
【００２２】
即ち、給紙トレイ又は装置本体に設けられたトレイ装着位置規制機構を、夫々が当接部として機能する複数の面部のうちの目標とする面部が装置本体又は給紙トレイに接当可能な位置に位置するように、回動軸心周りに回動させることにより、当接部の位置をトレイ移動方向において変更調節することが可能となる。
【００２３】
つまり、トレイ装着位置規制機構を回動軸心周りに回動させることにより、当接部の位置をトレイ移動方向において変更調節することが可能であるので、画像の光軸調節作業を簡略化することが可能となる。
そして、トレイ装着位置規制機構の当接反力は、当接部として機能させる面部を装置本体又は給紙トレイに接当させた状態で受けるので、給紙トレイ又は装置本体に対する当接部材の位置がトレイ移動方向にずれるのを防止することが可能となり、延いては、調節位置がずれないように画像の光軸調節を行うことが可能となる。
従って、画像の光軸調節をその作業を簡略化しながら調節位置のズレを防止できるように行い得る画像形成装置用の給紙装置を提供することができるようになった。
【発明を実施するための最良の形態】
【００２４】
〔第１実施形態〕
以下、図面に基づいて、本発明を画像形成装置としての電子複写機用の給紙装置に適用した場合の第１実施形態を説明する。
電子複写機の構成は公知であるので、詳細な説明を省略して簡単に説明すると、図１に示すように、電子複写機のケーシング５０に夫々装着口５１を備えた複数のトレイ収容部５２を形成し、給紙装置を、給紙トレイ２等を備えた給紙部Ｕを複数のトレイ収容部５２の夫々に対して備える形態で設けてある。そして、トレイ選択部（図示省略）にて選択された給紙トレイ２から１枚ずつ用紙Ｐを送出して、その送出された用紙Ｐを画像形成部５３に搬送して、その画像形成部５３にて用紙Ｐに画像を形成するように構成してある。
【００２５】
各トレイ収容部５２に対応して夫々設けた複数の給紙部Ｕは夫々同様の構成であるので、以下、１台の給紙部Ｕを対象にして説明を加える。
図２及び図３に示すように、給紙部Ｕは、用紙Ｐを積載する載置板１を上下動自在に備えてその載置板１上の用紙Ｐの給紙方向Ｄ１に直交するトレイ移動方向Ｄ２での移動により装置本体のトレイ収容部５２に装着自在な前記給紙トレイ２、トレイ収容部５２に装着された状態の給紙トレイ２内の用紙Ｐを１枚ずつ送出するピックアップローラ４と給紙ローラ５とを備えて、水平方向に沿う揺動軸心Ａ１周りに揺動自在な状態でトレイ収容部５２の上方に支持した枠体３、トレイ収容部５２に装着された状態の給紙トレイ２の載置板１を昇降させる昇降部６、及び、給紙トレイ２に設けられて、その給紙トレイ２がトレイ収容部５２に装着されるに伴って装置本体の受止板５４に当接して、給紙トレイ２の装着方向側への移動を規制するトレイ装着位置規制機構Ｓ等を備えて構成してある。
【００２６】
そして、トレイ装着位置規制機構Ｓにおける装置本体の受止板５４に当接する当接部Ｓｈの位置を、前記トレイ移動方向において調節自在なように構成してある。
【００２７】
図３に示すように、前記枠体３を、ハウジング７に前記揺動軸心Ａ１周りに揺動自在に支持し、そのように枠体３を揺動自在に支持したハウジング７を、装置本体側に取り付けた支持枠８に、前記揺動軸心Ａ１が水平方向を向き且つその揺動軸心Ａ１周りに揺動自在に支持してある。
このハウジング７は、下方側の給紙位置及び上方側の退避位置の夫々に位置決めされるように構成されている。
尚、図２は、ハウジング７を前記給紙位置に位置させた状態での枠体３等を示し、図３は、ハウジング７を前記退避位置に位置させた状態を示している。
【００２８】
図２及び図３に示すように、前記枠体３には、前記給紙ローラ５を前記揺動軸心Ａ１と同軸心にて回転自在に設け、前記ピックアップローラ４を、前記揺動軸心Ａ１から離間した位置にその揺動軸心Ａ１と平行な軸心周りに回転自在に設け、更に、そのピックアップローラ４に対して揺動軸心Ａ１側とは反対側に位置させて錘９を設けてある。
又、前記ハウジング７には、給紙ローラ５に連結した回転軸１０（図３参照）を前記揺動軸心Ａ１と同軸心状に支持させ、その回転軸１０とピックアップローラ４とを３個のギア１１ａ，１１ｂ，１１ｃから成るギア機構１１にて連動連結してある。
そして、給紙用モータ（図示省略）にて回転軸１０を回転させることにより、給紙ローラ５とピックアップローラ４とを回転させるように構成してある。
【００２９】
又、図示は省略するが、前記ハウジング７には、枠体３の下方側への揺動を規制する下限位置決め部を設けてある。
そして、枠体３が前記下限位置決め部にて下方側への揺動が規制された状態で、ハウジング７が枠体３と一体的に前記給紙位置と前記退避位置との間で揺動自在なように構成してある。
又、ハウジング７が前記給紙位置に位置決めされた状態で、枠体３を前記錘９の付勢力に抗して上昇させることが可能なように構成してある。
【００３０】
図２に示すように、前記昇降部６は、昇降用モータ６ａとその出力軸６ｂに取り付けた昇降用アーム６ｃとを備えて構成して、その昇降部６を、昇降用アーム６ｃによりトレイ収容部５２に装着された状態の給紙トレイ２の載置板１を押し上げることが可能なように設けて、昇降用モータ６ａを正転及び逆転することにより、昇降用アーム６ｃを正転及び逆転させて、載置板１を昇降させるように構成してある。
【００３１】
そして、図示しない制御部により、給紙トレイ２内の用紙Ｐの上面をピックアップローラ４に当接させて更に枠体３を持ち上げる状態にまで載置板１を上昇させるように、昇降部５の作動を制御するようにして、ピックアップローラ４により一定の押圧力にて用紙Ｐの上面を押圧するように構成してある。
【００３２】
前記支持枠８には、前記ハウジング７が前記給紙位置に位置決めされた状態で、前記給紙ローラ５に当接するように従動ローラ１２を設けてある。
そして、前記給紙用モータを作動させて、給紙ローラ５及びピックアップローラ４を回転させると共に、その給紙ローラ５の回転に従動させて従動ローラ１２を回転させることにより、ピックアップローラ４にて用紙Ｐを給紙ローラ５と従動ローラ１２との間に向けて送出して、その用紙Ｐを給紙ローラ５と従動ローラ１２とにより搬送するように構成してある。
【００３３】
次に、図３及び図４に基づいて、前記給紙トレイ２について説明を加える。
給紙トレイ２の底板２１上には、前記トレイ移動方向後方側の手前側調節板２２及び前記トレイ移動方向前方側の奥側調節板２３を前記トレイ移動方向に沿ってスライド自在な状態で、前記トレイ移動方向に振り分けて設け、並びに、側方調節板２４を前記給紙方向に沿ってスライド自在な状態で、前記給紙方向後方側の部分に位置させて設けてある。
又、詳細な説明及び図示は省略するが、手前側調節板２２及び奥側調節板２３夫々を前記トレイ移動方向における用紙Ｐのサイズ（例えば、Ａ４サイズ、Ｂ５サイズ等）夫々に対応した各位置に固定する固定手段を設けてあり、又、側方調節板２４を前記給紙方向における用紙Ｐのサイズ夫々に対応した各位置に固定する固定手段を設けてある。
【００３４】
そして、手前側調節板２２、奥側調節板２３及び側方調節板２４の夫々を、載置板１上に積層する用紙Ｐのサイズに対応する位置に固定することにより、載置板１上に積層された用紙Ｐの４側部を、手前側調節板２２、奥側調節板２３、側方調節板２４、及び、給紙トレイ２における前記給紙方向前方側の給紙方向前方側板２５にて、ガイドするように構成してある。
【００３５】
次に、図４ないし図６に基づいて、前記トレイ装着位置規制機構Ｓについて説明を加える。
トレイ装着位置規制機構Ｓは、給紙トレイ２（具体的には、前記トレイ移動方向前方側の奥側板２６）に設けてある。
この第１実施形態では、トレイ装着位置規制機構Ｓを構成するに、給紙トレイ２の奥側板２６に対する固定部材Ｓｆと、前記当接部Ｓｈを備えた当接部材Ｓｔとを設けて互いに相対移動自在に連結し、固定部材Ｓｆ及び当接部材Ｓｔの両方に、それら固定部材Ｓｆと当接部材Ｓｔとが接当した状態でトレイ装着位置規制機構Ｓの当接反力を受ける複数の反力受け面部Ｓｓを連なる状態で設け、それら複数の反力受け面部Ｓｓを選択的に作用状態に切換することによって、当接部Ｓｈにおける前記トレイ移動方向での位置を変更調節自在なように構成してある。前記複数の反力受け面部Ｓｓの夫々は、前記トレイ移動方向に直交する方向に沿うように設けてある。
【００３６】
更に、この第１実施形態では、前記固定部材Ｓｆを円筒状固定部材３１にて構成し、前記当接部材Ｓｔを円筒状当接部材３２にて構成し、それら円筒状固定部材３１と円筒状当接部材３２とに、夫々互いに接当する前記反力受け面部Ｓｓを、その周方向に沿った階段状に形成し、前記円筒状固定部材３１と前記円筒状当接部材３２を、前記トレイ移動方向に沿って相対的に移動自在で且つそのトレイ移動方向において互いに近接する方向に付勢し且つ前記トレイ移動方向に沿う回動軸心Ａ２周りに回動自在に互いに連結し、円筒状当接部材３２を前記回動軸心Ａ２周りに回動させることにより、前記階段状の反力受け面部Ｓｓの作用状態を変更するように構成してある。
【００３７】
図６に基づいて、前記円筒状固定部材３１及び前記円筒状当接部材３２について説明を加える。
前記円筒状固定部材３１の後端を閉じてあり、その円筒状固定部材３１には、その後端閉じ板部３１ａの裏面側から円筒状固定部材３１の軸心に沿って前方側に延びる円筒状案内部３１ｂを備えさせてある。
又、円筒状固定部材３１の先端部における周方向に４等分した部分の夫々を、互いに同一形状の６段の階段状に形成することにより、それら４つの階段状部の夫々を、後述する円筒状当接部材３２の階段状の反力受け面部Ｓｓに接当させる階段状の反力受け面部Ｓｓとして機能させるように構成してある。
【００３８】
円筒状当接部材３２の先端を閉じてあり、その円筒状当接部材３２には、その先端閉じ板部３２ａの裏面側から軸心に沿って後方側に突出するように延びる状態で、円柱状の軸部３２ｂを備えさせてある。
又、円筒状当接部材３２の後端部における周方向に４等分した部分の夫々を、前記円筒状固定部材３１の先端部の階段状部に噛み合わせ段数を変更自在な状態で噛み合わせ可能で且つ互いに同一形状の６段の階段状に形成することにより、それら４つの階段状部の夫々を、前述の円筒状固定部材３１の階段状の反力受け面部Ｓｓに接当させる階段状の反力受け面部Ｓｓとして機能させるように構成してある。
又、円筒状当接部材３２の先端面には、前記当接部Ｓｈとして機能させるゴム等からなる弾性部材３３を取付けてある。
【００３９】
ちなみに、円筒状固定部材３１及び円筒状当接部材３２夫々の階段状の反力受け面部Ｓｓの段差は、例えば１ｍｍに設定してある。
【００４０】
前記給紙トレイ２の奥側板２６には、前記トレイ装着位置規制機構Ｓの取付箇所に位置させて、前記円筒状当接部３２の軸部３２ｂを挿通自在な軸部挿通孔２６ａを形成してある。
そして、前記円筒状固定部材３１を、その円筒状案内部３１ｂが給紙トレイ２の奥側板２６の軸部挿通孔２６ａに連通するように、後端閉じ板部３１ａを給紙トレイ２の奥側板２６の外面に当て付けた状態で、奥側板２６に取り付ける。ちなみに、このように円筒状固定部材３１を側板２６に取り付けた状態では、円筒状案内部３１ｂは前記トレイ移動方向に沿う状態となる。
更に、前記円筒状当接部材３２を、その軸部３２ｂを円筒状固定部材３１の円筒状案内部３１ｂと給紙トレイ２の奥側板２６の軸部挿通孔２６ａとに挿通して、円筒状固定部材３１に対してその円筒状案内部３１ｂの案内にて回動自在に支持させた状態で、軸部３２ｂにおける前記軸部挿通孔２６ａからの突出部の先端に取り付けたばね受け部３４と前記奥側板２６の内面との間に、コイルばね３５を圧縮状態で設ける。
【００４１】
上述のように、前記給紙トレイ２の奥側板２６の外面に、円筒状固定部材３１と円筒状当接部材３２とを組み付けた状態で設けることにより、円筒状固定部材３１と円筒状当接部材３２とを、円筒状当接部材３２が前記トレイ移動方向に沿って相対移動自在で且つそのトレイ移動方向において円筒状固定部材３１に近接する方向に付勢され且つ前記トレイ移動方向に沿う回動軸心Ａ２周りに回動自在に互いに連結してある。
【００４２】
そして、円筒状当接部材３２を、円筒状固定部材３１と干渉しない位置までコイルばね３５の付勢力に抗して引っ張った状態で、前記回動軸心Ａ２周りに回動させて、図４及び図５に示すように、円筒状固定部材３１の階段状の反力受け面部Ｓｓ及び円筒状当接部材３２の階段状の反力受け面部Ｓｓにおいて互いに当接させる反力受け面部Ｓｓの数を変更することにより、当接部Ｓｈとして機能する前記弾性部材３３における前記トレイ移動方向での位置を変更調節するように構成してある。
つまり、円筒状固定部材３１の階段状の反力受け面部Ｓｓ及び円筒状当接部材３２の階段状の反力受け面部Ｓｓ夫々のうちの互いに当接するものが、作用状態となる。
【００４３】
例えば、図４及び図５夫々の（ロ）に示すように、円筒状固定部材３１の階段状の反力受け面部Ｓｓ及び円筒状当接部材３２の階段状の反力受け面部Ｓｓの両者の全てを互いに当接させると、当接部Ｓｈが前記トレイ移動方向において最も手前側に位置することになって、給紙トレイ２が前記トレイ移動方向において最も奥側に装着されることになる。
又、図示を省略するが、円筒状固定部材３１の階段状の反力受け面部Ｓｓ及び円筒状当接部材３２の階段状の反力受け面部Ｓｓの両者の１つずつを当接させると、当接部Ｓｈが前記トレイ移動方向において最も奥側に位置することになって、給紙トレイ２が前記トレイ移動方向において最も手前側に装着されることになる。
【００４４】
そして、上述のように階段状の反力受け面部Ｓｓの段差を１ｍｍに設定すると、当接部Ｓｈにおける前記トレイ移動方向での位置を１ｍｍ単位で変更調節することができて、給紙トレイ２の装着位置を前記トレイ移動方向において１ｍｍ単位で変更調節することができる。
【００４５】
又、円筒状当接部材３２の先端面に弾性部材３３を取り付けて、その弾性部材３３を当接部Ｓｈとして機能させるようにして、トレイ装着位置規制機構Ｓが装置本体の受止板５４に接当したときの衝撃を弾性部材３３にて吸収するようにしてあるので、給紙トレイ２の載置板１上に積載されている用紙Ｐが崩れるのを抑制することが可能となる。
【００４６】
以下、本発明の第２及び第３の各実施形態を説明するが、各実施形態において前記トレイ装着位置規制機構Ｓの構成が異なる以外は第１実施形態と同様に構成してあるので、第１実施形態と同じ構成要素や同じ作用を有する構成要素については、重複説明を避けるために、同じ符号を付すことにより説明を省略し、主として、トレイ装着位置規制機構Ｓについて説明する。
【００４７】
〔第２実施形態〕
図７に示すように、この第２実施形態においても、第１実施形態と同様にトレイ装着位置規制機構Ｓを給紙トレイ２に設けて、そのトレイ装着位置規制機構Ｓを構成するに、給紙トレイ２に対する固定部材Ｓｆと、前記当接部Ｓｈを備えた当接部材Ｓｔとを設けて互いに相対移動自在に連結し、固定部材Ｓｆ及び当接部材Ｓｔのうちの当接部材Ｓｔに、それら固定部材Ｓｆと当接部材Ｓｔとが接当した状態でトレイ装着位置規制機構Ｓの当接反力を受ける複数の反力受け面部Ｓｓを連なる状態で設け、それら複数の反力受け面部Ｓｓを選択的に作用状態に切換することによって、当接部Ｓｈにおける前記トレイ移動方向での位置を変更調節自在なように構成してある。前記複数の反力受け面部Ｓｓの夫々は、前記トレイ移動方向に直交する方向に沿うように設けてある。
【００４８】
そして、この第２実施形態では、前記当接部材Ｓｔを、前記トレイ移動方向に沿う位置調節用板状部３６ａと前記給紙方向に沿う当接用板状部３６ｂとを備えた屈曲板状当接部材３６にて構成し、その屈曲板状当接部材３６の位置調節用板状部３６ａに、前記複数の反力受け面部Ｓｓとして機能させる階段状の縁部を備え且つその階段状の縁部に沿う形状の屈曲状のスリット３６ｃを形成し、前記固定部材Ｓｆとして機能させるボルト状体３７をスリット３６ｃに挿通した状態で給紙トレイ２に螺入することにより、屈曲板状当接部材３６を取付けするように構成し、ボルト状体３７をスリット３６ｃに係合させた状態で屈曲板状当接部材３６を移動させることにより、スリット３６ｃにおける段の一部にボルト状体３７を選択的に当接自在なように構成してある。
【００４９】
説明を加えると、前記スリット３６ｃは、前記複数の反力受け面部Ｓｓとして機能させる階段状の縁部を、その各段が前記トレイ移動方向に直交する方向に沿う状態で前記トレイ移動方向に沿って並ぶように、前記トレイ移動方向の奥側に位置させて形成してある。
つまり、複数の反力受け面部Ｓｓを、夫々が前記トレイ移動方向に直交する方向に沿い且つ前記トレイ移動方向の手前側を向く状態で、前記トレイ移動方向に沿って並ぶように、階段状に形成してある。
【００５０】
そして、給紙トレイ２に螺入したボルト状体３７に、複数の反力受け面部Ｓｓのいずれかを選択して当接させることにより、トレイ装着位置規制機構Ｓが装置本体の受止板５４に接当したときの当接反力を受け止めることが可能なように構成してある。
【００５１】
この実施形態では、屈曲板状当接部材３６の位置調節用板状部３６ａには、２個のスリット３６ｃを前記トレイ移動方向に直交する方向に沿って並べて形成してある。
又、屈曲板状当接部材３６の当接用板状部３６ｂの前面には、前記当接部Ｓｈとして機能させるゴム等からなる板状の弾性部材３８を取り付けてある。
【００５２】
そして、夫々にワッシャ３９を挿通した２本のボルト状体３７を、屈曲板状当接部材３６の２個のスリット３６ｃに振り分けて挿通した状態で、給紙トレイ２の給紙方向前方側板２５における前記トレイ移動方向の奥側端部に螺入することにより、屈曲板状当接部材３６を給紙トレイ２に取付けるように構成してある。
そして、２本のボルト状体３７を、それらをスリット３６ｃに係合させた状態で屈曲板状当接部材３６を移動させることが可能なように緩めて、図７の（イ）、（ロ）にて示すように、階段状の反力受け面部Ｓｓのうちのボルト状体３７に当接させるものを選択することにより、前記トレイ移動方向における給紙トレイ２の装着位置を変更調節することができる。
【００５３】
又、屈曲状当接部材３６の当接用板状部３６ｂの前面に弾性部材３８を取り付けて、その弾性部材３８を当接部Ｓｈとして機能させるようにして、トレイ装着位置規制機構Ｓが装置本体の受止板５４に接当したときの衝撃を弾性部材３８にて吸収するようにしてあるので、給紙トレイ２の載置板１上に積載されている用紙Ｐが崩れるのを抑制することが可能となる。
【００５４】
〔第３実施形態〕
図８及び図９に示すように、この第３実施形態においても、第１実施形態と同様にトレイ装着位置規制機構Ｓを給紙トレイ２に設けてある。
そして、この第３実施形態では、トレイ装着位置規制機構Ｓを、回動軸心に直交する面での断面形状が車輪に似た形状の車輪形当接部材４０にて構成し、その車輪形当接部材４０を、前記トレイ移動方向に直交する方向に沿う回動軸心Ａ３周りに回動自在な状態で、給紙トレイ２に設け、その車輪形当接部材４０における前記回動軸心Ａ３周りの外周面を、前記回動軸心Ａ３からの距離が夫々異なる複数の当接用面部４１（前記面部に相当する）が前記距離の大きさの順に並ぶ形態で前記回動軸心Ａ３周りに連なる屈曲状面に形成して、前記複数の当接用面部４１の夫々を前記当接部Ｓｈとして機能させるように構成し、その車輪形当接部材４０を前記回動軸心Ａ３周りに回動させることにより、前記当接部Ｓｈにおける前記トレイ移動方向での位置が調節自在なように構成してある。
【００５５】
図１０に基づいて、前記車輪形当接部材４０について説明を加えると、その車輪形当接部材４０は、外周壁部４２と、その外周壁部４２の内部に位置する円筒状部４３と、それら外周壁部４２と円筒状部４３とを連結する複数のスポーク状部４４とからなる。
外周壁部４２の外周面において、前記円筒状部４３に対する一方側は、その円筒状部４３の中心からの距離が夫々異なる複数の当接用面部４１が前記距離の大きさの順に並ぶ形態で周方向に連なる屈曲状面に形成し、前記円筒状部４３に対する他方側は、前記各当接用面部４１と夫々平行で且つ円筒状部４３の中心からの距離が等しい複数の受け用面部４５が周方向に連なる屈曲状面に形成してある。
【００５６】
ちなみに、この実施形態では、外周壁部４２は、当接用面部４１と受け用面部４５との組を、当接用面部４１と受け用面部４５との間隔が４８〜５２ｍｍまで１ｍｍずつ異なる状態で５組備えるように形成してある。
【００５７】
又、前記車輪形当接部材４０は、合成樹脂にて上述した形状に形成することにより、弾性を備えるように構成してある。
【００５８】
図９に示すように、給紙トレイ２の奥側板２６の表面側に、軸支持部２７を前記トレイ移動方向奥側に向けて突設し、更に、その軸支持部２７に、軸部２８を鉛直方向に沿わせて取り付けてある。
そして、前記車輪形当接部材４０を、その円筒状部４３を前記軸部２８に外嵌させた状態で設けることにより、車輪形当接部材４０を、その受け用面部４５が給紙トレイ２の奥側板２６の表面に当接する状態で、前記トレイ移動方向に直交する方向である鉛直方向に沿う回動軸心Ａ３周りに回動自在なように構成してある。
【００５９】
そして、車輪形当接部材４０を、図９及び図１０に示すように、前記回動軸心Ａ３周りに回動させて、装置本体の受止板５４に対して平行に対向する当接用面部４１を変更することにより、当接部Ｓｈにおける前記トレイ移動方向での位置を調節するように構成してある。
【００６０】
又、車輪形当接部材４０に弾性を備えさせて、車輪形当接部材４０が装置本体の受止板５４に接当したときの衝撃をその車輪形当接部材４０にて吸収するようにしてあるので、給紙トレイ２の載置板１上に積載されている用紙Ｐが崩れるのを抑制することが可能となる。
【００６１】
〔別実施形態〕
次に別実施形態を説明する。
（イ）  上記の実施形態においては、トレイ装着位置規制機構Ｓを給紙トレイ２及び装置本体のうちの給紙トレイ２に設ける場合について例示したが、装置本体に設けても良い。
この場合、トレイ装着位置規制機構Ｓを、例えば、給紙トレイ２における奥側板２６に当接させるように、装置本体における受止板５４に設ける。
【００６２】
（ロ）  上記の第３実施形態において、トレイ装着位置規制機構Ｓとしての車輪形当接部材４０を回動自在に設けるための回動軸心Ａ３の方向は、鉛直方向に限定されるものではなく、前記トレイ移動方向に直交する方向に沿う方向であるという条件で変更可能であり、例えば、水平方向でも良い。
【００６３】
（ハ）  上記の第３実施形態において、車輪形当接部材４０における複数の当接用面部４１が連なる屈曲状面に、その面に沿わせた状態でシート状の弾性部材を貼付して、その弾性部材を当接部Ｓｈとして機能させるように構成しても良い。
【００６４】
（ニ）  本発明は、上記の実施形態において例示した電子複写機用の給紙装置以外に、プリンタ、ファクシミリ等の種々の画像形成装置用の給紙装置に適用することができる。
【図面の簡単な説明】
【００６５】
【図１】実施形態に係る給紙装置を装備した電子複写機の概略図
【図２】実施形態に係る給紙装置の縦断面図
【図３】第１実施形態に係る給紙装置の斜視図
【図４】第１実施形態に係る給紙装置の平面図
【図５】第１実施形態に係る給紙装置のトレイ装着位置規制機構を示す斜視図
【図６】第１実施形態に係る給紙装置のトレイ装着位置規制機構の横断面図
【図７】第２実施形態に係る給紙装置のトレイ装着位置規制機構を示す斜視図
【図８】第３実施形態に係る給紙装置の平面図
【図９】第３実施形態に係る給紙装置のトレイ装着位置規制機構を示す斜視図
【図１０】第３実施形態に係る給紙装置のトレイ装着位置規制機構を示す平面図
【符号の説明】
【００６６】
２      給紙トレイ
３６ａ  板状部
３６ｃ  スリット
３７    ボルト状体
４１    面部
５２    トレイ収容部
Ｐ      用紙
Ｓ      トレイ装着位置規制機構
Ｓｆ    固定部材
Ｓｈ    当接部
Ｓｓ    反力受け面部
Ｓｔ    当接部材
【図１】
2006131396.tif 000003
【図２】
2006131396.tif 000004
【図３】
2006131396.tif 000005
【図４】
2006131396.tif 000006
【図５】
2006131396.tif 000007
【図６】
2006131396.tif 000008
【図７】
2006131396.tif 000009
【図８】
2006131396.tif 000010
【図９】
2006131396.tif 000011
【図１０】
2006131396.tif 000012